(57)【特許請求の範囲】
【請求項１】
医用画像が各々に関連付けられた複数の読影レポートのいずれか１つを第１モニタ画面上で選択する第１選択操作を受け付ける第１受け付け手段、
前記第１選択操作によって選択された読影レポートに関連付けられた医用画像を第２モニタ画面に表示する画像表示手段、
前記第１選択操作によって選択された読影レポートと異なる読影レポートに関連付けられた医用画像を比較画像として選択する第２選択操作を前記画像表示手段による前記医用画像の表示中に前記第１モニタ画面上で受け付ける第２受け付け手段、
前記第２モニタ画面の表示内容を縮小して表すウィンドウを前記第２選択操作に応答して前記第１モニタ画面に表示するウィンドウ表示手段、
前記第２モニタ画面上の空き領域を指定する指定操作を前記ウィンドウ表示手段によって表示されたウィンドウ上で受け付ける第３受け付け手段、および
前記指定操作によって指定された空き領域に前記比較画像を追加表示する追加表示手段を備える、読影支援装置。
【請求項２】
前記比較画像に対応する見出し画像を前記第１モニタ画面に表示する見出し画像表示手段をさらに備え、
前記第２選択操作は前記見出し画像表示手段によって表示された見出し画像をクリックする操作に相当し、
前記指定操作は前記空き領域をクリックする操作に相当する、請求項１記載の読影支援装置。
【請求項３】
前記ウィンドウ表示手段は前記第２選択操作の位置に従う位置を前記ウィンドウの表示位置として指定する表示位置指定手段を含む、請求項２記載の読影支援装置。
【請求項４】
前記比較画像に相当する医用画像が関連付けられた読影レポートは前記複数の読影レポートの他の１つである、請求項１ないし３のいずれかに記載の読影支援装置。
【請求項５】
前記ウィンドウ表示手段によって表示されたウィンドウを前記追加表示手段の処理に関連して非表示とするウィンドウ非表示手段をさらに備える、請求項１ないし４のいずれかに記載の読影支援装置。
【請求項６】
前記追加表示手段は前記指定操作によって指定された空き領域の広さが不十分であるときに前記第２モニタ画面の表示態様と前記ウィンドウ表示手段によって表示されたウィンドウの表示態様とを更新する表示態様更新手段を含む、請求項１ないし５のいずれかに記載の読影支援装置。
【請求項７】
前記複数の読影レポートを列挙したリストを前記第１モニタ画面に表示するリスト表示手段をさらに備え、
前記第１選択操作は前記リスト表示手段によって表示されたリストから前記複数の読影レポートのいずれか１つを選択する操作に相当する、請求項１ないし６のいずれかに記載の読影支援装置。
【請求項８】
前記第１選択操作によって選択された読影レポートを前記第１モニタ画面に表示するレポート表示手段をさらに備える、請求項１ないし７のいずれかに記載の読影支援装置。
【請求項９】
読影支援装置に設けられたプロセッサによって実行される読影支援方法であって、
医用画像が各々に関連付けられた複数の読影レポートのいずれか１つを第１モニタ画面上で選択する第１選択操作を受け付ける第１受け付けステップ、
前記第１選択操作によって選択された読影レポートに関連付けられた医用画像を第２モニタ画面に表示する画像表示ステップ、
前記第１選択操作によって選択された読影レポートと異なる読影レポートに関連付けられた医用画像を比較画像として選択する第２選択操作を前記画像表示ステップによる前記医用画像の表示中に前記第１モニタ画面上で受け付ける第２受け付けステップ、
前記第２モニタ画面の表示内容を縮小して表すウィンドウを前記第２選択操作に応答して前記第１モニタ画面に表示するウィンドウ表示ステップ、
前記第２モニタ画面上の空き領域を指定する指定操作を前記ウィンドウ表示ステップによって表示されたウィンドウ上で受け付ける第３受け付けステップ、および
前記指定操作によって指定された空き領域に前記比較画像を追加表示する追加表示ステップを備える、読影支援方法。
【請求項１０】
読影支援装置に設けられたプロセッサに、
医用画像が各々に関連付けられた複数の読影レポートのいずれか１つを第１モニタ画面上で選択する第１選択操作を受け付ける第１受け付けステップ、
前記第１選択操作によって選択された読影レポートに関連付けられた医用画像を第２モニタ画面に表示する画像表示ステップ、
前記第１選択操作によって選択された読影レポートと異なる読影レポートに関連付けられた医用画像を比較画像として選択する第２選択操作を前記画像表示ステップによる前記医用画像の表示中に前記第１モニタ画面上で受け付ける第２受け付けステップ、
前記第２モニタ画面の表示内容を縮小して表すウィンドウを前記第２選択操作に応答して前記第１モニタ画面に表示するウィンドウ表示ステップ、
前記第２モニタ画面上の空き領域を指定する指定操作を前記ウィンドウ表示ステップによって表示されたウィンドウ上で受け付ける第３受け付けステップ、および
前記指定操作によって指定された空き領域に前記比較画像を追加表示する追加表示ステップを実行させるための、読影支援プログラム。
【発明の詳細な説明】
【技術分野】
【０００１】
この発明は、読影支援装置、読影支援方法および読影支援プログラムに関し、特に、読影レポートに割り当てられた医用画像の読影作業を支援する、読影支援装置、読影支援方法および読影支援プログラムに関する。
【背景技術】
【０００２】
放射線科の医師（以下、「読影医」と言う。）は、読影レポートシステムと医用画像ビューワ（以下、単に「ビューワ」と言う。）とを使用して読影業務を行う。このとき大抵は、１つのモニタが読影レポートシステムのために用意され、１つまたは２つのモニタがビューワのために用意される。また、診断対象となる医用画像は、別の検査で撮影された医用画像と比較して診断されることが多い。さらに、診断対象となる医用画像および比較画像のいずれも、検査（スタディ）単位ないしシリーズ（放射線撮影装置を用いた１回の検査で撮影された複数の医用画像）単位でビューワ用のモニタに表示される。
【先行技術文献】
【特許文献】
【０００３】
【特許文献１】特開２００７−２７５５５８号公報
【発明の概要】
【発明が解決しようとする課題】
【０００４】
読影医は読影レポートシステム用のモニタ上で所見・診断を入力しているため、比較画像をビューワ用のモニタに追加表示させた後は速やかに所見・診断の入力に戻りたいという要求がある。すると、比較画像を参照した所見・診断を行うためには、読影レポートシステム用のモニタとビューワ用のモニタとの間でカーソルを行き来させる必要がある。
【０００５】
ただし、ビューワ用のモニタの解像度は２Ｍピクセル〜３Ｍピクセルと高いため、特許文献１でも触れられているように、マウスのようなポインティングデバイスによるカーソルの移動量が大きいという問題がある。
【０００６】
それゆえに、この発明の主たる目的は、医用画像を読影する際の作業負担を軽減することができる、診断支援装置、診断支援方法および診断支援プログラムを提供することである。
【課題を解決するための手段】
【０００７】
この発明に従う読影支援装置(10：実施例で相当する参照符号。以下同じ)は、医用画像が各々に関連付けられた複数の読影レポートのいずれか１つを第１モニタ画面(20s)上で選択する第１選択操作を受け付ける第１受け付け手段(S13)、第１選択操作によって選択された読影レポートに関連付けられた医用画像を第２モニタ画面(22s)に表示する画像表示手段(S17, S43~S45, S71~S75)、第１選択操作によって選択された読影レポートと異なる読影レポートに関連付けられた医用画像を比較画像として選択する第２選択操作を画像表示手段による医用画像の表示中に第１モニタ画面上で受け付ける第２受け付け手段(S19)、第２モニタ画面の表示内容を縮小して表すウィンドウを第２選択操作に応答して第１モニタ画面に表示するウィンドウ表示手段(S23, S77~S79)、第２モニタ画面上の空き領域を指定する指定操作をウィンドウ表示手段によって表示されたウィンドウ上で受け付ける第３受け付け手段(S81)、および指定操作によって指定された空き領域に比較画像を追加表示する追加表示手段(S85~S93)を備える。
【０００８】
好ましくは、比較画像に対応する見出し画像を第１モニタ画面に表示する見出し画像表示手段(S25~S27)がさらに備えられ、第２選択操作は見出し画像表示手段によって表示された見出し画像をクリックする操作に相当し、指定操作は空き領域をクリックする操作に相当する。
【０００９】
さらに好ましくは、ウィンドウ表示手段は第２選択操作の位置に従う位置をウィンドウの表示位置として指定する表示位置指定手段(S23)を含む。
【００１０】
好ましくは、比較画像に相当する医用画像が関連付けられた読影レポートは複数の読影レポートの他の１つである。
【００１１】
好ましくは、ウィンドウ表示手段によって表示されたウィンドウを追加表示手段の処理に関連して非表示とするウィンドウ非表示手段(S95)がさらに備えられる。
【００１２】
好ましくは、追加表示手段は指定操作によって指定された空き領域の広さが不十分であるときに第２モニタ画面の表示態様とウィンドウ表示手段によって表示されたウィンドウの表示態様とを更新する表示態様更新手段(S85~S89)を含む。
【００１３】
好ましくは、複数の読影レポートを列挙したリストを第１モニタ画面に表示するリスト表示手段(S7)がさらに備えられ、第１選択操作はリスト表示手段によって表示されたリストから複数の読影レポートのいずれか１つを選択する操作に相当する。
【００１４】
好ましくは、第１選択操作によって選択された読影レポートを第１モニタ画面に表示するレポート表示手段(S41)がさらに備えられる。
【００１５】
この発明に従う読影支援方法は、読影支援装置(10)に設けられたプロセッサ(14)によって実行される読影支援方法であって、医用画像が各々に関連付けられた複数の読影レポートのいずれか１つを第１モニタ画面(20s)上で選択する第１選択操作を受け付ける第１受け付けステップ(S13)、第１選択操作によって選択された読影レポートに関連付けられた医用画像を第２モニタ画面(22s)に表示する画像表示ステップ(S17, S43~S45, S71~S75)、第１選択操作によって選択された読影レポートと異なる読影レポートに関連付けられた医用画像を比較画像として選択する第２選択操作を画像表示ステップによる医用画像の表示中に第１モニタ画面上で受け付ける第２受け付けステップ(S19)、第２モニタ画面の表示内容を縮小して表すウィンドウを第２選択操作に応答して第１モニタ画面に表示するウィンドウ表示ステップ(S23, S77~S79)、第２モニタ画面上の空き領域を指定する指定操作をウィンドウ表示ステップによって表示されたウィンドウ上で受け付ける第３受け付けステップ(S81)、および指定操作によって指定された空き領域に比較画像を追加表示する追加表示ステップ(S85~S93)を備える。
【００１６】
この発明に従う読影支援プログラムは、読影支援装置(10)に設けられたプロセッサ(14)に、医用画像が各々に関連付けられた複数の読影レポートのいずれか１つを第１モニタ画面(20s)上で選択する第１選択操作を受け付ける第１受け付けステップ(S13)、第１選択操作によって選択された読影レポートに関連付けられた医用画像を第２モニタ画面(22s)に表示する画像表示ステップ(S17, S43~S45, S71~S75)、第１選択操作によって選択された読影レポートと異なる読影レポートに関連付けられた医用画像を比較画像として選択する第２選択操作を画像表示ステップによる医用画像の表示中に第１モニタ画面上で受け付ける第２受け付けステップ(S19)、第２モニタ画面の表示内容を縮小して表すウィンドウを第２選択操作に応答して第１モニタ画面に表示するウィンドウ表示ステップ(S23, S77~S79)、第２モニタ画面上の空き領域を指定する指定操作をウィンドウ表示ステップによって表示されたウィンドウ上で受け付ける第３受け付けステップ(S81)、および指定操作によって指定された空き領域に比較画像を追加表示する追加表示ステップ(S85~S93)を実行させるための、読影支援プログラムである。
【発明の効果】
【００１７】
第１選択操作によって或る読影レポートが選択されると、これに割り当てられた医用画像が第２モニタ画面に表示される。また、第２選択操作によって比較画像が選択されると、第２モニタ画面の表示を縮小して表すウィンドウが第１モニタ画面に表示される。さらに、指定操作によって第２モニタ画面上の空き領域が指定されると、指定された空き領域に比較画像が追加表示される。
【００１８】
ここで、第１選択操作，第２選択操作および指定操作はいずれも、第１モニタ画面上または第１モニタ画面に表示されたウィンドウ上で受け付けられる。これによって、比較画像を表示する際の作業負担が軽減される。
【００１９】
この発明の上述の目的，その他の目的，特徴および利点は、図面を参照して行う以下の実施例の詳細な説明から一層明らかとなろう。
【図面の簡単な説明】
【００２０】
【図１】この実施例に適用される読影レポートシステムの構成の一例を示すブロック図である。
【図２】読影レポートとシリーズサムネイルと医用画像との対応関係の一例を示す図解図である。
【図３】読影レポートソフトウェアの下で実行されるレポートリスト表示制御タスクの一部を示すフロー図である。
【図４】読影レポートソフトウェアの下で実行されるレポートリスト表示制御タスクの他の一部を示すフロー図である。
【図５】読影レポートソフトウェアの下で実行される個別レポート表示制御タスクの一部を示すフロー図である。
【図６】読影レポートソフトウェアの下で実行される個別レポート表示制御タスクの他の一部を示すフロー図である。
【図７】ビューワソフトウェアの処理の一部を示すフロー図である。
【図８】ビューワソフトウェアの処理の他の一部を示すフロー図である。
【図９】レポート用モニタに表示されたレポートリストウィンドウの一例を示す図解図である。
【図１０】レポート用モニタに表示されたレポートリストウィンドウの他の一例を示す図解図である。
【図１１】レポート用モニタに表示されたレポートリストウィンドウのその他の一例を示す図解図である。
【図１２】レポート用モニタに表示された個別レポートウィンドウの一例を示す図解図である。
【図１３】ビューワ用モニタに表示された医用画像の一例を示す図解図である。
【図１４】レポート用モニタに表示されたレポートリストウィンドウのさらにその他の一例を示す図解図である。
【図１５】レポートリストウィンドウに多重表示されたシャーカステンウィンドウの一例を示す図解図である。
【図１６】ビューワ用モニタに表示された医用画像の他の一例を示す図解図である。
【図１７】レポートリストウィンドウに多重表示されたシャーカステンウィンドウの他の一例を示す図解図である。
【図１８】ビューワ用モニタに表示された医用画像のその他の一例を示す図解図である。
【図１９】レポートリストウィンドウに多重表示されたシャーカステンウィンドウのその他の一例を示す図解図である。
【図２０】ビューワ用モニタに表示された医用画像のさらにその他の一例を示す図解図である。
【発明を実施するための形態】
【００２１】
図１を参照して、この実施例の読影レポートシステムは、通信ネットワーク４０を介して互いに接続された読影支援装置１０およびサーバＰＣ３０によって構成される。読影支援装置１０において、バスＢＳ１には、通信Ｉ／Ｆ１２，ＣＰＵ１４，キーボード１６，マウス１８，レポート用モニタ２０，ビューワ用モニタ２２，ＤＲＡＭ２４，および主記憶装置２６が接続される。
【００２２】
レポート用モニタ２０にはモニタ画面２０ｓが設けられ、ビューワ用モニタ２２にはモニタ画面２２ｓが設けられる。モニタ画面２０ｓの解像度は１Ｍピクセル程度と低く、モニタ画面２２ｓの解像度は２Ｍピクセル〜３Ｍピクセル程度と高い。この実施例では、レポート用モニタ２０およびビューワ用モニタ２２が１台ずつ用意されるが、ビューワ用モニタ２２の数は２台以上であってもよい。
【００２３】
サーバＰＣ３０には、多数の読影レポート（画像診断報告書）が保存された読影レポートＤＢ３２と、多数のＤＩＣＯＭ(Digital Imaging and COmmunication in Medicine)ファイルが保存された医用画像ＤＢ３４とが設けられる。各々のＤＩＣＯＭファイルには、図示しない放射線撮影装置によって撮影された医用画像ないし医用画像データが格納される。また、医用画像ＤＢ３４に保存された多数のＤＩＣＯＭファイルは、検査単位ないしシリーズ単位で分類される。
【００２４】
各々の読影レポートには、検査日時，検査時刻，実施医師，患者氏名などの検査情報に加えて、読影医によって入力された所見，診断，コメントが記載され、さらに１または２以上のシリーズサムネイルが貼り付けられる。医用画像ＤＢ３４に保存された多数のＤＩＣＯＭファイルは上述のように検査単位ないしシリーズ単位で分類されるところ、シリーズサムネイルは、分類された複数のＤＩＣＯＭファイルを代表する見出し用のサムネイル画像ないしサムネイル画像データである。
【００２５】
したがって、読影レポートとシリーズサムネイルとＤＩＣＯＭファイルとの間には図２に示す対応関係が成り立ち、ＤＩＣＯＭファイルはシリーズサムネイルを介して読影レポートと関連付けられる。また、分類された複数のＤＩＣＯＭファイルのいずれか１つが、基準ＤＩＣＯＭファイルとされる。
【００２６】
読影支援装置１０に設けられたＣＰＵ１４は、サーバＰＣ３０に保存された読影レポートに所見または診断を入力しようとする読影医の作業を支援するべく、図３〜図８に示すフロー図に従う読影支援処理を実行する。
【００２７】
このうち、図３〜図４に示すフロー図は読影レポートソフトウェアの下で実行されるレポートリスト表示制御タスクを表し、図５〜図６に示すフロー図は読影レポートソフトウェアの下で実行される個別レポート表示制御タスクを表し、図７〜図８に示すフロー図はビューワソフトウェアの処理を表す。また、読影レポートソフトウェアおよびビューワソフトウェアの各々に相当する制御プログラムは、主記憶装置２６に保存される。
【００２８】
図３を参照して、ステップＳ１ではレポートリストウィンドウを表す画像データをＤＲＡＭ２４に展開し、この画像データの読み出しをレポート用モニタ２０に要求する。この結果、レポートリストウィンドウがモニタ画面２０ｓに表示される。図９に示すように、レポートリストウィンドウには、リスト欄ＬＰ１，履歴欄ＨＰ１，所見欄ＲＰ１，診断欄ＤＰ１，コメント欄ＣＰ１，サムネイル欄ＳＰ１が設けられる。ただし、ステップＳ１の処理が完了した時点ではいずれの欄も空欄とされる。
【００２９】
ステップＳ３では読影レポート検索操作（モダリティの種別を指定して「検索」ボタンをクリックする操作）が行われたか否かを判別し、ステップＳ５では他の操作が行われたか否かを判別する。ステップＳ３の判別結果およびステップＳ５の判別結果のいずれもＮＯであればステップＳ３に戻り、ステップＳ５の判別結果がＹＥＳであれば他の処理に進み、ステップＳ３の判別結果がＹＥＳであればステップＳ７に進む。
【００３０】
ステップＳ７では、通信Ｉ／Ｆ１２および通信ネットワーク４０を介してサーバＰＣ３０にアクセスし、所望の読影レポートを読影レポートＤＢ３２から検索する。検出された読影レポートは、通信Ｉ／Ｆ１２を介して受信され、ＤＲＡＭ２４に取り込まれる。
【００３１】
ステップＳ７ではまた、こうして取得された読影レポートのリスト（読影レポートリスト）を表す画像データをＤＲＡＭ２４に描画し、描画された画像データの読み出しをレポート用モニタ２０に要求する。この結果、読影レポートリストがレポートリストウィンドウのリスト欄ＬＰ１に表示される。
【００３２】
“ＣＴ”がモダリティの種別として指定された場合、リスト欄ＬＰ１には図１０に示す要領で読影レポートリストが表示される。なお、所望の読影レポートが検出されなければ、読影レポートリストが表示されることはない。
【００３３】
ステップＳ９では読影レポート選択操作（リスト欄ＬＰ１の所望のカラムないし行（以下「カラム」に統一）をクリックする操作）が行われたか否かを判別し、判別結果がＮＯであればそのままステップＳ１３に進む一方、判別結果がＹＥＳであればステップＳ１１で以下の処理を実行してからステップＳ１３に進む。
【００３４】
ステップＳ１１では、選択されたカラムの読影レポートに記述された所見，診断およびコメントを表すテキストデータと、選択されたカラムの読影レポートに貼り付けられた１または２以上のシリーズサムネイルとをＤＲＡＭ２４に描画し、描画されたテキストデータならびに１または２以上のシリーズサムネイルの読み出しをレポート用モニタ２０に要求する。
【００３５】
ステップＳ１１ではまた、選択されたカラムの読影レポートに関連して過去に参照された読影レポートを検出し、検出された読影レポートのリスト（読影レポート履歴リスト）を表す画像データをＤＲＡＭ２４に描画し、描画された画像データの読み出しをレポート用モニタ２０に要求する。
【００３６】
この結果、選択されたカラムがハイライトされ、所見，診断およびコメントがレポートリストウィンドウの所見欄ＲＰ１，診断欄ＤＰ１およびコメント欄ＣＰ１にそれぞれ表示され、１または２以上のシリーズサムネイルがレポートリストウィンドウのサムネイル欄ＳＰ１に表示され、そして読影レポート履歴リストが履歴欄ＨＰ１に表示される。レポートリストウィンドウの表示は、たとえば図１０から図１１に更新される。
【００３７】
ステップＳ１３では個別レポートオープン操作（読影レポートリスト上の所望のカラムが選択された状態でキーボード１６のエンターキーを押す操作、または読影レポートリスト上の所望のカラムをダブルクリックする操作）が行われたか否かを判別し、ステップＳ１５では他の操作が行われたか否かを判別する。ステップＳ１３の判別結果およびステップＳ１５の判別結果のいずれもＮＯであればステップＳ９に戻り、ステップＳ１５の判別結果がＹＥＳであれば他の処理に進み、ステップＳ１３の判別結果がＹＥＳであればステップＳ１７で図５〜図６に示す個別レポート表示制御タスクを起動する。
【００３８】
図５に飛んで、ステップＳ４１では、個別レポートオープン操作によって選択された読影レポートを表すウィンドウつまり個別レポートウィンドウの画像データをＤＲＡＭ２４に展開し、この画像データの読み出しをレポート用モニタ２０に要求する。この結果、個別レポートウィンドウがモニタ画面２０ｓに表示される。
【００３９】
図１２を参照して、個別レポートリストウィンドウには、所見欄ＲＰ２，診断欄ＤＰ２およびコメント欄ＣＰ２が設けられる。所見欄ＲＰ２，診断欄ＤＰ２およびコメント欄ＣＰ２の記述は、個別レポートオープン操作を受け付けた時点でのレポートリストウィンドウの所見欄ＲＰ１，診断欄ＤＰ１およびコメント欄ＣＰ１の記述と一致する。
【００４０】
ステップＳ４３では、ビューワソフトウェアを起動する。これによって、図７〜図８に示す処理が開始される。続くステップＳ４５では、選択された読影レポートに関連付けられた医用画像をビューワ用モニタ２２のモニタ画面２２ｓに表示するべく、選択された読影レポートを識別する識別情報つまり検査識別情報が記述された医用画像表示要求をビューワソフトウェアに対して発行する。なお、検査識別情報には、選択された読影レポートに貼り付けられた１または２以上のシリーズサムネイルをそれぞれ識別する１または２以上のシリーズ識別子が含まれる。
【００４１】
図７に飛んで、ステップＳ７１では医用画像表示要求が発行されたか否かを繰り返し判別し、判別結果がＮＯからＹＥＳに更新されるとステップＳ７３に進む。ステップＳ７３では、医用画像表示要求に記述された検査識別情報から１または２以上のシリーズ識別子を読み出し、読み出された各シリーズ識別子に対応する複数のＤＩＣＯＭファイルの転送をサーバＰＣ３０に要求する。要求された複数のＤＩＣＯＭファイルはサーバＰＣ３０から返送され、返送された複数のＤＩＣＯＭファイルは通信Ｉ／Ｆ１２によって取得される。
【００４２】
図２に示すように、シリーズサムネイル毎に分類された複数のＤＩＣＯＭファイルには、基準ＤＩＣＯＭファイルが含まれる。ステップＳ７５では、基準ＤＩＣＯＭファイルの医用画像データをＤＲＡＭ２４に描画し、描画された医用画像データの読み出しをビューワ用モニタ２２に要求する。この結果、１または２以上のシリーズ識別子にそれぞれ対応する１または２以上の医用画像がモニタ画面２２ｓに表示される。
【００４３】
図１１によれば、リスト欄ＬＰ１上でハイライトされたカラムの読影レポートには、３つのシリーズサムネイルが張り付けられている。この読影レポートを表す個別レポートウィンドウがモニタ画面２０ｓに表示された場合、モニタ画面２２ｓには対応する３つの医用画像が図１３に示す要領で表示される。
【００４４】
図４に戻って、ステップＳ１９ではレポートリストウィンドウのサムネイル欄に表示された１または２以上のシリーズサムネイルのいずれか１つがマウス１８によって右クリックされたか否かを判別し、ステップＳ２５では読影レポート履歴選択操作（履歴欄ＨＰ１の所望のカラムをクリックする操作）が行われたか否かをステップＳ２５で判別する。
【００４５】
ステップＳ２５の判別結果がＹＥＳであれば、ステップＳ２７で以下の処理を実行する。つまり、履歴欄ＨＰ１から選択されたカラムの読影レポートに記述された所見，診断およびコメントを表すテキストデータと、選択されたカラムの読影レポートに貼り付けられた１または２以上のシリーズサムネイルとをＤＲＡＭ２４に描画し、描画されたテキストデータならびに１または２以上のシリーズサムネイルの読み出しをレポート用モニタ２０に要求する。
【００４６】
この結果、選択されたカラムがハイライトされ、レポートリストウィンドウの所見欄ＲＰ１，診断欄ＤＰ１，コメント欄ＣＰ１およびサムネイル欄ＳＰ１の表示が更新される。レポートリストウィンドウの表示は、たとえば図１１から図１４に更新される。更新が完了すると、ステップＳ１９に戻る。
【００４７】
ステップＳ１９の判別結果がＹＥＳであればステップＳ２１に進み、履歴欄ＨＰ１のいずれかのカラムが選択中であるか否かを判別する。判別結果がＮＯであればステップＳ１９に戻り、判別結果がＹＥＳであればステップＳ２３に進む。ステップＳ２３では、シャーカステンウィンドウ表示要求をビューワソフトウェアに対して発行する。
【００４８】
シャーカステンウィンドウ表示要求は、モニタ画面２２ｓの表示内容を縮小して表すシャーカステンウィンドウを右クリック位置に合わせてモニタ画面２０ｓに表示するための要求である。また、シャーカステンウィンドウ表示要求には、右クリック位置が記述された表示位置情報と、右クリックされたシリーズサムネイルを識別するシリーズ識別子とが含まれる。ステップＳ２３の処理が完了すると、ステップＳ１９に戻る。
【００４９】
図７に飛んで、ステップＳ７７ではシャーカステンウィンドウ表示要求が発行されたか否かを繰り返し判別し、判別結果がＮＯからＹＥＳに更新されるとステップＳ７９に進む。ステップＳ７９では、シャーカステンウィンドウの画像データをＤＲＡＭ２４に展開し、この画像データの読み出しをレポート用モニタ２０に要求する。この結果、シャーカステンウィンドウがレポートリストウィンドウに多重表示される。このとき、シャーカステンウィンドウの左上座標の位置は、右クリック位置に合わせられる。
【００５０】
したがって、図１４に示すサムネイル欄ＳＰ１に表示された２つのシリーズサムネイルのうち下側のシリーズサムネイルが右クリックされると、シャーステンウィンドウは図１５に示す要領で表示される。
【００５１】
なお、シャーカステンウィンドウの表示は、厳密には、ビューワ用モニタ２２に設けられたモニタ画面２２ｓの表示を単に縮小したものとは異なる。しかし、シャーカステンウィンドウに表示された縮小画像は、モニタ画面２２ｓに表示された医用画像を縮小した画像であり、かつ縮小画像の配置は、対応する医用画像の配置に合わせられる。したがって、シャーカステンウィンドウは、モニタ画面２２ｓの表示内容を縮小して表すウィンドウと言える。
【００５２】
ステップＳ８１ではマウス１８による左クリック操作がシャーカステンウィンドウ上で行われたか否かを判別し、ステップＳ８３では他の操作が行われたか否かを判別する。ステップＳ８１の判別結果およびステップＳ８３の判別結果がいずれもＮＯであればステップＳ８１に戻り、ステップＳ８３の判別結果がＹＥＳであれば他の処理を実行し、ステップＳ８１の判別結果がＹＥＳであればステップＳ８５に進む。
【００５３】
ステップＳ８５では左クリック位置に十分な空き領域が存在するか否かを判別し、判別結果がＹＥＳであればステップＳ９１に進む。ステップＳ９１では、シャーカステンウィンドウ表示要求からシリーズ識別子を読み出し、読み出されたシリーズ識別子に関連付けられた複数のＤＩＣＯＭファイルを上述と同じ要領で医用画像ＤＢ３４から取得する。
【００５４】
ステップＳ９３では、取得した複数のＤＩＣＯＭファイルのうち基準ＤＩＣＯＭファイルに格納された医用画像データをＤＲＡＭ２４に描画し、描画された医用画像データの読み出しをビューワ用モニタ２２に要求する。この結果、基準ＤＩＣＯＭファイル内の医用画像がモニタ画面２２ｓの空き領域に追加表示される。
【００５５】
図１５によれば、シャーカステンウィンドウの右下に十分な空き領域が存在する。したがって、この空き領域で左クリックされると、右クリックされたシリーズサムネイルに対応する医用画像がモニタ画面２２ｓの右下に存在する空き領域に追加表示される。
【００５６】
追加表示が完了するとステップＳ９５に進み、シャーカステンウィンドウの非表示をレポート用モニタ２０に要求する。この結果、シャーカステンウィンドウがモニタ画面２０ｓから消える。ステップＳ９５の処理が完了すると、ステップＳ７７に戻る。
【００５７】
ステップＳ８５の判別結果がＮＯであればステップＳ８７に進み、モニタ画面２２ｓに十分な空き領域を確保するべく、ビューワ用モニタ２２に表示態様の更新を要求する。これによって、モニタ画面２２ｓに空き領域が形成される。
【００５８】
医用画像が図１６に示す要領でモニタ画面２２ｓに表示されている状態で、図１４に示すサムネイル欄ＳＰ１に表示された下側のシリーズサムネイルが再度右クリックされると、シャーステンウィンドウは図１７に示す要領で表示される。この状態でシャーカステンウィンドウの下側の位置が左クリックされると、モニタ画面２２ｓの表示は図１６から図１８に更新される。
【００５９】
ステップＳ８９では、こうして更新されたモニタ画面２２ｓの表示に対応するシャーカステンウィンドウの画像データをＤＲＡＭ２４に展開し、この画像データの読み出しをレポート用モニタ２０に要求する。この結果、シャーカステンウィンドウの表示がモニタ画面２２ｓに合わせられる。つまり、シャーカステンウィンドウの表示は、図１７から図１９に更新される。
【００６０】
ステップＳ８９の処理が完了すると、ステップＳ８１に戻る。したがって、図１９に示すシャーカステンウィンドウの右下の位置が左クリックされると、右クリックされたシリーズサムネイルに対応する医用画像がモニタ画面２２ｓの右下に存在する空き領域に図２０に示す要領で追加表示される。
【００６１】
図５に戻って、ステップＳ４７では所見／診断入力操作（キーボード１６によって所見欄または診断欄に文字列を入力する操作）が行われたか否かを判別する。判別結果がＹＥＳであればステップＳ４９に進み、図１２に示す個別レポートウィンドウの所見欄ＲＰ２または診断欄ＤＰ２に文字列を追加表示する。文字列の追加表示が完了すると、ステップＳ４７に戻る。
【００６２】
ステップＳ４７の判別結果がＮＯであれば、個別レポートウィンドウ上の「保留」ボタンが左クリックされたか否かをステップＳ５１で判別し、個別レポートウィンドウ上の「確定」ボタンが左クリックされたか否かをステップＳ５３で判別し、個別レポートウィンドウ上の「閉じる」ボタンが左クリックされたか否かをステップＳ５５で判別し、他の操作が行われたか否かをステップＳ５７で判別する。
【００６３】
ステップＳ５１の判別結果がＹＥＳであれば、ステップＳ５９で所見／診断保留処理を実行してからステップＳ６３に進む。ステップＳ５３の判別結果がＹＥＳであれば、ステップＳ６１で所見／診断確定処理を実行してからステップＳ６３に進む。ステップＳ５９の所見／診断保留処理またはステップＳ６１の所見／診断確定処理はいずれも、読影レポートＤＢ３２に保存された読影レポートの設定を変更する処理である。
【００６４】
ステップＳ５５の判別結果がＹＥＳであれば、そのままステップＳ６３に進む。ステップＳ５７の判別結果がＹＥＳであれば他の処理に進む。ステップＳ５１〜Ｓ５７のいずれの判別結果もＮＯであれば、ステップＳ４７に戻る。
【００６５】
ステップＳ６３では個別レポートウィンドウを非表示とし、ステップＳ６５ではビューワソフトを停止する。個別レポート表示制御タスクは、ステップＳ６５の処理の後に終了される。
【００６６】
図４に戻って、ステップＳ２５の判別結果がＮＯであれば、他の操作が行われたか否かをステップＳ２９で判別し、個別レポート表示制御タスクが終了したか否かをステップＳ３１で判別する。ステップＳ２９およびＳ３１のいずれの判別結果もＮＯであればステップＳ１９に戻り、ステップＳ２９の判別結果がＹＥＳであれば他の処理を実行し、ステップＳ３１の判別結果がＹＥＳであればステップＳ９に戻る。
【００６７】
以上の説明から分かるように、レポート用モニタ２０およびビューワ用モニタ２２はそれぞれ、モニタ画面２０ｓおよび２２ｓを有する。或る読影レポートを選択する個別レポートオープン操作がモニタ画面２０ｓ上で受け付けると(S13)、ＣＰＵ１４は、選択された読影レポートに関連付けられた医用画像をモニタ画面２２ｓに表示する(S17, S43~S45, S71~S75)。また、他の読影レポートに関連付けられた医用画像を比較画像として選択する右クリック操作がモニタ画面２２ｓ上で行われると(S19)、ＣＰＵ１４は、モニタ画面２２ｓの表示を縮小して表すシャーカステンウィンドウをモニタ画面２０ｓに表示する(S23, S77~S79)。さらに、モニタ画面２２ｓ上の空き領域を指定する左クリック操作がウィンドウ上で行われると(S81)、ＣＰＵ１４は、指定された空き領域に比較画像を追加表示する(S85~S93)。
【００６８】
ここで、個別レポートオープン操作，右クリック操作および左クリック操作はいずれも、レポート用モニタ２０に設けられたモニタ画面２０ｓ上またはこれに表示されたシャーカステンウィンドウ上で受け付けられる。これによって、比較画像を表示する際の作業負担が軽減される。
【００６９】
なお、この実施例では、図４に示すステップＳ１９で右クリックされる対象として、同じ患者の読影レポートに貼り付けられたシリーズサムネイルを想定している。しかし、右クリックの対象は、別の患者の読影レポートに貼り付けられたシリーズサムネイルであってもよい。
【符号の説明】
【００７０】
１０  …診断支援装置
１４  …ＣＰＵ
１８  …マウス
２０  …レポート用モニタ
２２  …ビューワ用モニタ
２４  …ＤＲＡＭ
２６  …主記憶装置
３０  …サーバＰＣ
３２  …読影レポートＤＢ
３４  …医用画像ＤＢ
４０  …通信ネットワーク
【図１】
0006307450.tif 000002
【図２】
0006307450.tif 000003
【図３】
0006307450.tif 000004
【図４】
0006307450.tif 000005
【図５】
0006307450.tif 000006
【図６】
0006307450.tif 000007
【図７】
0006307450.tif 000008
【図８】
0006307450.tif 000009
【図９】
0006307450.tif 000010
【図１０】
0006307450.tif 000011
【図１１】
0006307450.tif 000012
【図１２】
0006307450.tif 000013
【図１３】
0006307450.tif 000014
【図１４】
0006307450.tif 000015
【図１５】
0006307450.tif 000016
【図１６】
0006307450.tif 000017
【図１７】
0006307450.tif 000018
【図１８】
0006307450.tif 000019
【図１９】
0006307450.tif 000020
【図２０】
0006307450.tif 000021